(57)【要約】【課題】データ通信装置において、電子メールに画像を添付して送信するときに、画像を添付した電子メールを確実に送信することができるデータ通信装置等を提供する。【解決手段】電子メール通信を行なうデータ通信装置（１０）において、画像を電子メールに添付して送信する電子メール送信部（１３０）と、入力された画像のデータ量を検出する画像データ検出部（１４０）と、電子メールに添付する画像のデータ量が予め設定されたデータ量を超えているか否かを判定する画像データ量判定部（１５０）と、前記画像のデータ量が予め設定されたデータ量を超えない場合は、電子メールを送信可能とする通信制御部（１６０）と、前記画像のデータ量が予め設定されたデータ量を超える場合は、画像のデータ量を少なくするデータ量縮小処理（１７１）を行なうデータ量制御部（１７０）と、を備えることを特徴とする。【選択図】図１
2020030463.tif 000002
【特許請求の範囲】
【請求項１】
電子メール通信を行なうデータ通信装置において、
画像を電子メールに添付して送信する電子メール送信部と、
入力された画像のデータ量を検出する画像データ検出部と、
前記電子メールに添付する画像のデータ量が予め設定されたデータ量を超えているか否かを判定する画像データ量判定部と、
前記電子メールに添付する画像のデータ量が予め設定されたデータ量を超えない場合は、前記電子メールを送信可能とする通信制御部と、
前記電子メールに添付する画像のデータ量が予め設定されたデータ量を超える場合は、前記画像のデータ量を少なくするデータ量縮小処理を行なうデータ量制御部と、
を備えることを特徴とするデータ通信装置。
【請求項２】
前記通信制御部は、
電子メールに添付する画像が複数ある場合は、予め設定されたデータ量を超えない範囲で、１電子メールに複数の画像を添付して送信可能とすることを特徴とする請求項１に記載のデータ通信装置。
【請求項３】
前記通信制御部は、
電子メールに添付する画像が１画像でデータが予め設定されたデータ量を超えていた場合は、予め定められた設定で縮小処理を行い、縮小した画像が１つまたは複数の画像と組み合わせても予め設定されたデータ量を超えない場合は、同じメールの添付ファイルとして送信することを特徴とする請求項１に記載のデータ通信装置。
【請求項４】
前記縮小した画像が１つまたは複数の画像と組み合わせて、予め設定されたデータ量を超える場合は、前記縮小した画像を単独で送信することを特徴とする請求項３に記載のデータ通信装置。
【請求項５】
前記データ量縮小処理は、
前記画像の読み取りモードを変更してデータ量を少なくすることを特徴とする請求項１から４のうち何れか一項に記載のデータ通信装置。
【請求項６】
前記データ量縮小処理は、
前記画像の解像度を低くしてデータ量を少なくすることを特徴とする請求項１に記載のデータ通信装置。
【請求項７】
前記データ量縮小処理は、
前記画像のデータの圧縮率を変更してデータ量を少なくすることを特徴とする請求項１に記載のデータ通信装置。
【請求項８】
前記データ量縮小処理は、
前記画像の大きさを縮小してデータ量を少なくすることを特徴とする請求項１に記載のデータ通信装置。
【請求項９】
前記データ量縮小処理は、
前記画像の濃度を低くすることでデータ量を少なくすることを特徴とする請求項１に記載のデータ通信装置。
【請求項１０】
前記データ量縮小処理は、
前記画像を分割して１画像当たりのデータ量を少なくすることを特徴とする請求項１に記載のデータ通信装置。
【請求項１１】
前記データ量縮小処理は、
前記画像から不要な情報を削除してデータ量を少なくすることを特徴とする請求項１に記載のデータ通信装置。
【請求項１２】
前記通信制御部は、
１画像で予め設定されたデータ量を超える画像がある場合は、ユーザに予め設定されたデータ量を超える画像がある旨を報知し、ユーザ指示により前記データ量縮小処理を選択的に実行することを特徴とする請求項１に記載のデータ通信装置。
【請求項１３】
前記データ量縮小処理が行なわれた場合は、データ量縮小処理が行なわれたことを前記電子メールに付記することを特徴とする請求項１に記載のデータ通信装置。
【請求項１４】
前記通信制御部は、
画像を添付した電子メールが複数ある場合は、
添付された画像の順番を特定する文字列が小さい画像を添付する電子メールから順次送信することを特徴とする請求項１３に記載のデータ通信装置。
【請求項１５】
電子メール通信を行なうデータ通信装置において、
画像を電子メールに添付して送信する電子メール送信工程と、
入力された画像のデータ量を検出する画像データ検出工程と、
前記電子メールに添付する画像のデータ量が予め設定されたデータ量を超えているか否かを判定する画像データ量判定工程と、
前記電子メールに添付する画像のデータ量が予め設定されたデータ量を超えない場合は、前記電子メールを送信可能とする通信制御工程と、
前記電子メールに添付する画像のデータ量が予め設定されたデータ量を超える場合は、前記画像のデータ量を少なくするデータ量縮小処理を行なうデータ量制御工程と、
を備えることを特徴とするデータ通信方法。
【発明の詳細な説明】
【技術分野】
【０００１】
本発明は、データ通信装置等に係り、特に、電子メールに画像を添付して送信するデータ通信装置等に関する。
【背景技術】
【０００２】
近年、データ通信装置は、電子メールに画像を添付して送信可能に構成されているものが知られている。
【０００３】
従来技術として、例えば、データ通信装置として、ページ単位でデータを入力する入力手段と、複数ページのデータを電子メールに添付して送信する送信手段と、入力された複数ページのデータを添付して送信した場合のデータ量が所定の設定値を超える場合に、入力された複数ページをページの区切りで分割し、分割された１つまたは複数のページ分のデータがそれぞれ添付された複数の電子メールを送信するよう制御する制御手段と、１つのページを１つの電子メールに添付して送信した場合のデータ量が所定の設定値を超えるページが入力された複数ページに含まれるか否かを送信手段による送信を開始する前に判断する判断手段と、を有し、制御手段は、前記判断手段による判断の結果、１つのページを１つの電子メールに添付して送信した場合のデータ量が所定の設定値を超えるページが、入力された複数ページに含まれると判断された場合は、入力された複数ページのいずれのページも送信しないように制御する技術が開示されている（特許文献１を参照）。
【先行技術文献】
【特許文献】
【０００４】
【特許文献１】特開２００１−３５０７００号公報
【発明の概要】
【発明が解決しようとする課題】
【０００５】
特許文献１に提案されている技術によれば、例えば、１つの画像で予め設定した上限サイズを超えた場合は、「送信データ容量が上限を超えている」ことを通知して、通信自体がキャンセルされて送信されなかった。送信できなかったユーザは、画像の読取り設定（解像度、画像の品質、グレースケール化等）の設定を変更して、最初から画像を読込む作業をやり直す必要があった。
【０００６】
本発明は、上記従来の課題に鑑みてなされたものであり、データ通信装置において、電子メールに画像を添付して送信するときに、画像を添付した電子メールを確実に送信することができるデータ通信装置等を提供することを目的とする。
【課題を解決するための手段】
【０００７】
本発明は、電子メール通信を行なうデータ通信装置において、画像を電子メールに添付して送信する電子メール送信部と、入力された画像（読み取られた画像）のデータ量を検出する画像データ検出部と、前記電子メールに添付する画像のデータ量が予め設定されたデータ量を超えているか否かを判定する画像データ量判定部と、前記電子メールに添付する画像のデータ量が予め設定されたデータ量を超えない場合は、前記電子メールを送信可能とする通信制御部と、前記電子メールに添付する画像のデータ量が予め設定されたデータ量を超える場合は、前記画像のデータ量を少なくするデータ量縮小処理を行なうデータ量制御部と、を備えることを特徴とするものである。
【０００８】
また、本発明は、電子メール通信を行なうデータ通信装置において、画像を電子メールに添付して送信する電子メール送信工程と、入力された画像（読み取られた画像）のデータ量を検出する画像データ検出工程と、前記電子メールに添付する画像のデータ量が予め設定されたデータ量を超えているか否かを判定する画像データ量判定工程と、前記電子メールに添付する画像のデータ量が予め設定されたデータ量を超えない場合は、前記電子メールを送信可能とする通信制御工程と、前記電子メールに添付する画像のデータ量が予め設定されたデータ量を超える場合は、前記画像のデータ量を少なくするデータ量縮小処理を行なうデータ量制御工程と、を備えることを特徴とするものである。
【発明の効果】
【０００９】
本発明のデータ通信装置によれば、電子メール通信を行なうデータ通信装置において、画像を電子メールに添付して送信する電子メール送信部と、入力された画像（読み取られた画像）のデータ量を検出する画像データ検出部と、前記電子メールに添付する画像のデータ量が予め設定されたデータ量を超えているか否かを判定する画像データ量判定部と、前記電子メールに添付する画像のデータ量が予め設定されたデータ量を超えない場合は、前記電子メールを送信可能とする通信制御部と、前記電子メールに添付する画像のデータ量が予め設定されたデータ量を超える場合は、前記画像のデータ量を少なくするデータ量縮小処理を行なうデータ量制御部と、を備えることで、添付する画像のデータ量が予め設定した上限サイズを超えた場合でも、電気メールに添付して送信することができる。
【００１０】
また、本発明のデータ通信方法によれば、電子メール通信を行なうデータ通信装置において、画像を電子メールに添付して送信する電子メール送信工程と、入力された画像（読み取られた画像）のデータ量を検出する画像データ検出工程と、前記電子メールに添付する画像のデータ量が予め設定されたデータ量を超えているか否かを判定する画像データ量判定工程と、前記電子メールに添付する画像のデータ量が予め設定されたデータ量を超えない場合は、前記電子メールを送信可能とする通信制御工程と、前記電子メールに添付する画像のデータ量が予め設定されたデータ量を超える場合は、前記画像のデータ量を少なくするデータ量縮小処理を行なうデータ量制御工程と、を備えることで、添付する画像のデータ量が予め設定した上限サイズを超えた場合でも、電気メールに添付して送信することができる。
【図面の簡単な説明】
【００１１】
【図１】第１実施形態に係るデータ通信装置の構成を示すブロック図である。
【図２】前記データ通信装置において画像を電子メールに添付して送信する処理工程を示すフローチャートである。
【図３】前記データ通信装置により画像を電子メールに添付する構成を示す説明図である。
【図４】前記データ通信装置の操作部に表示される設定画面の一例を示す説明図である。
【図５】前記データ通信装置の操作部に表示される画像読取りモード設定画面の一例を示す説明図である。
【図６】第２実施形態に係るデータ通信装置の操作部に表示される解像度設定画面の一例を示す説明図である。
【図７】第３実施形態に係るデータ通信装置の操作部に表示される実施例１のフォーマット設定画面（カラー/グレースケール）を示す説明図である。
【図８】前記データ通信装置の操作部に表示される実施例１のフォーマット設定画面（白黒）を示す説明図である。
【図９】前記データ通信装置の操作部に表示される実施例２のフォーマット設定画面（カラー/グレースケール）を示す説明図である。
【図１０】前記データ通信装置の操作部に表示される実施例２のフォーマット設定画面（白黒）を示す説明図である。
【図１１】第４実施形態に係るデータ通信装置の操作部に表示される原稿設定画面を示す説明図である。
【図１２】第５実施形態に係るデータ通信装置の操作部に表示される濃度設定画面を示す説明図である。
【図１３】第６実施形態に係るデータ通信装置の操作部に表示されるその他の機能設定画面を示す説明図である。
【発明を実施するための形態】
【００１２】
（第１実施形態）
以下、本発明の第１実施形態について図面を参照して説明する。
図１は第１実施形態に係るデータ通信装置の構成を示すブロック図である。
【００１３】
（データ通信装置の構成）
第１実施形態に係るデータ通信装置１０は、図１に示すように、操作部１０５と、画像読取部１１０と、記憶部１２０と、電子メール送信部１３０と、画像データ検出部１４０と、画像データ量判定部１５０と、通信制御部１６０と、データ量制御部１７０と、各部装置の動作制御を行なう制御部１８０とを備えて、画像を添付した電子メールを送信可能にしたことを特徴とするものである。
【００１４】
操作部１０５は、表示パネル１０６を備えている。表示パネル１０６にはタッチ操作用の表示画面が表示される。操作部１０５において、表示画面上で各部設定や指示操作が可能に構成されている。
【００１５】
画像読取部１１０は、例えばスキャナであって画像を読み取る。
記憶部１２０は、画像読取部１１０により読取られた画像のデータを読取画像情報１２１として記憶する。
【００１６】
電子メール送信部１３０は、読み取った画像を電子メールに添付して送信する。
画像データ検出部１４０は、読み取った画像のデータ量を検出する。
データ通信装置１０において、電子メールに添付して送信可能な画像のデータ量は予め設定されている。このデータ量の最大値は、設定、変更が可能に構成されている。
【００１７】
画像データ量判定部１５０は、電子メールに添付する画像のデータ量が予め設定されたデータ量を超えているか否かを判定する。
【００１８】
通信制御部１６０は、電子メールに添付する画像のデータ量が予め設定されたデータ量を超えない場合は、当該電子メールを送信可能とする。
【００１９】
データ量制御部１７０は、電子メールに添付する画像のデータ量が予め設定されたデータ量を超える場合は、当該画像のデータ量を少なくするデータ量縮小処理１７１を行なう。
【００２０】
データ量縮小処理１７１は、例えば、画像のデータを圧縮して画像のデータ量を縮小する処理である。これにより、電子メールに添付する画像を予め設定されたデータ量を超えないデータ量にすることができる。
【００２１】
（データ通信装置による電子メールの送信）
次に、データ通信装置１０において、読み取った画像を電子メールに添付して送信する処理について、フローチャートに沿って説明する。
図２は第１実施形態に係るデータ通信装置において画像を電子メールに添付して送信する処理工程を示すフローチャートである。
【００２２】
データ通信装置１０において、読取った画像を電子メールに添付して送信を行なう場合は、図２に示すように、読取るｍ番目の原稿の画像を「ｍ」、送信するｎ番目の電子メールを「ｎ」とし、ｍ＝１,ｎ＝１として（ステップＳ１０１）、画像読取部１１０に原稿の読取が開始され、全ての原稿が高解像度で読取られる（ステップＳ１０３）。
【００２３】
ここでは、ステップＳ１０３において、一旦カラー高解像度で全原稿の読取りを実行した後、ステップＳ１１３で画像を１枚毎にユーザ設定の読取り条件で画像を変換しているが、例えば、ステップＳ１０３において、全原稿をユーザ設定の読取り条件でデータを取得するようにしても良い。その場合は、ステップＳ１１３の工程は不要になる。
【００２４】
画像読取部１１０により読取られた全ての原稿の画像データは記憶部１２０に一時的に記憶される。このとき、原稿の枚数も記憶される（ステップＳ１０５）。
【００２５】
そして、ｍ番目の原稿は、全原稿枚数以下であるか否かが判定される（ステップＳ１０７）。全ての原稿の画像が読取られ、全ての画像がｎ個の電子メールに添付されたときに、ステップＳ１０７において、ｍ番目の原稿が全原稿枚数以下ではないと判定され、画像が添付されたｎ個の電子メールが送信先として設定した宛先に送信されて（ステップＳ１１１）、電子メールの送信処理は終了する。
【００２６】
一方、ステップＳ１０７において、ｍ番目の原稿が全原稿枚数以下であると判定された場合は、ｍ番目の原稿の画像を選択する（ステップＳ１１２）。そして、データ量制御部１７０によりカラー高解像度の画像データをユーザの設定した読取り設定に基づき画像を変換する（ステップＳ１１３）。そして、変換されたｍ番目の画像のデータ量が予め設定されたデータ量を超えているか否かが画像データ量判定部１５０により判定される（ステップＳ１１５）。
【００２７】
ステップＳ１１５において、変換されたｍ番目の画像のデータ量が予め設定されたデータ量を超えていると判定された場合は、データ量制御部１７０は、データ量縮小処理の設定値を変更し、画像を変換してデータ量を縮小する（ステップＳ１１７）。ステップＳ１１７におけるデータ量縮小処理は、画像のデータ量が予め設定されたテータ量の上限以上の場合は、設定値を変えて上限以下になるまで繰り返し行なわれる。データ量縮小処理は、縮小処理の優先順番として、圧縮率を優先して、解像度、カラーモード、の順番が望ましい。
【００２８】
一方、ステップＳ１１５において、変換された画像のデータ量が予め設定されたデータ量を超えていないと判定された場合は、ｎ番目の電子メールに画像を追加しても、添付された画像を含むファイルサイズの合計が予め設定された値以下か否かが判定される（ステップＳ１２１）。
【００２９】
ステップＳ１２１において、ｎ番目の電子メールに画像を追加しても、添付された画像を含むファイルサイズの合計が予め設定された値以下であると判定された場合は、ｎ番目の電子メールに当該画像を添付する（ステップＳ１２５）。
【００３０】
そして、ｍ番目の画像をｍ＝ｍ＋１として（ステップＳ１２７）、ステップＳ１０７に進む。
【００３１】
一方、ステップＳ１２１において、ｎ番目の電子メールに画像を追加しても、添付された画像を含むファイルサイズの合計が予め設定された値以下ではないと判定された場合は、ｎ番目の電子メールをｎ＝ｎ＋１として（ステップＳ１２３）、ステップＳ１２５に進み、ステップＳ１２７、ステップＳ１０７へと進む。
このようにして、次の画像を選択して次の電子メールへ添付する処理が繰り返される。
【００３２】
なお、第１実施形態では、画像読取部１１０における画像の読取り処理を連続して行ない、その後に添付する画像を選択して画像のデータ量を判定するようにしているが、画像を読取り、添付する画像を選択してデータ量を判定する処理は、これに限定するものではなく、添付する画像毎に画像読取りを行ない、画像毎にデータ量を判定するようにしてもよい。
【００３３】
（電子メールへの画像の添付について）
次に、第１実施形態に係るデータ通信装置１０において、複数の画像を電子メールに添付して送信する場合について図面を参照して説明する。
図３は第１実施形態に係るデータ通信装置により画像を電子メールに添付する構成を示す説明図である。
【００３４】
なお、図２のフローチャートにおいて、ステップＳ１０３でカラー高解像度の原稿の読取りデータを取得した場合は、ユーザ設定の読取り条件での画像のファイルサイズは未定であるため、ここでは、説明上、ステップＳ１１３において、ユーザ設定の読取り条件で全画像を変換した場合、またはステップＳ１０３において、ユーザ設定の読取り条件での画像を読取った場合の説明とする。
【００３５】
第１実施形態では、図３に示すように、画像読取部１１０により、４枚の画像Ａ，Ｂ，Ｃ，Ｄがページ毎に読み取られる。
【００３６】
画像Ａ，Ｂ，Ｃ，Ｄは、それぞれ画像データ検出部１４０によりデータ量が検出される。そして、画像Ａ，Ｂ，Ｃ，Ｄのデータ量は、読取画像情報１２１として記憶部１２０に記憶される。
【００３７】
画像データ検出部１４０により検出された画像のデータ量は、図３に示すように、画像Ａは０．３５ＭＢ、画像Ｂは０．３５ＭＢ、画像Ｃは１．３ＭＢ、画像Ｄは０．３５ＭＢとなっている。
【００３８】
ここで、第１実施形態では、データ通信装置１０において電子メールに添付可能な画像のデータ量は、１ＭＢに設定されている。電子メールに添付される画像のデータ量が１ＭＢを超えなければ、１電子メールに複数の画像を添付可能としている。
【００３９】
なお、１画像で予め設定されたデータ量を超える画像がある場合は、通信制御部１６０は、データ通信装置１０は、ユーザに予め設定されたデータ量を超える画像がある旨を報知するようにされている。そして、予め設定された条件で自動的に画像のファイルサイズを縮小してもよい。
【００４０】
さらに、データ通信装置１０は、ユーザに予め設定されたデータ量を超える画像がある旨を報知せずに、予め設定された条件で画像のファイルサイズを縮小してもよい。
【００４１】
ここでは、画像Ｃは１．３ＭＢであり、電子メールに添付可能な画像のデータ量を超えているので、データ量縮小処理１７１によりデータ量を縮小する。
【００４２】
第１実施形態では、データ量制御部１７０は、データ量縮小処理１７１として、画像Ｃのデータの圧縮率を高くすることでデータ量を少なくするようにしている。これにより、画像Ｃのデータ量は、図３に示すように、１．３ＭＢから０．４ＭＢになり、電子メールに添付可能な画像のデータ量（１ＭＢ）よりも小さくすることができる。
【００４３】
Ａ，Ｂ，Ｃ，Ｄの順番に並んだ画像Ａ，Ｂ，Ｃ，Ｄの４画像を電子メールに添付する場合は、図３に示すように、例えば、第１の電子メール０１Ｍには縮小処理をしない画像Ａ（０．３５ＭＢ）と画像Ｂ（０．３５ＭＢ）とを添付し、第２の電子メール０２Ｍには画像Ｃを縮小処理した画像Ｃ１（０．４ＭＢ）と縮小処理をしない画像Ｄ（０．３５ＭＢ）とを１電子メールに添付するようにしてもよい。
【００４４】
また、縮小処理をした画像Ｃ１（０．４ＭＢ）と縮小処理をしない画像Ｄ（０．３５ＭＢ）とを別々の電子メールに添付するようにしてもよい。
【００４５】
第１実施形態では、縮小処理した画像Ｃ１と後ろの順番の画像Ｄとを１つの電子メールに添付しているが、例えば、電子メールに添付可能な画像のデータ量を１．５ＭＢに設定して、前の画像が添付されている電子メールの画像と合わせても添付可能な画像のデータ量よりも小さい場合は、画像Ｃ１を前の画像が添付されている電子メールに添付しても良い。
【００４６】
また、１つの電子メールに添付する複数の画像の組合せは、画像の順番に関係なく送信する電子メール数が最小になる画像の組合せを用いても良い。
【００４７】
このようにして、画像Ａ，Ｂ，Ｃ，Ｄの４画像において、電子メールに添付可能な画像のデータ量を超えている画像がある場合は、データ量縮小処理を行なうことでデータ量を縮小して、２通または３通の電子メールで送信することが可能となる。さらに、画像Ａ，Ｂ，Ｃ，Ｄの４画像のデータを圧縮することで、さらに少ない数の電子メールに画像を集約して添付することも可能である。
【００４８】
なお、添付する画像にデータの縮小処理を行なった場合は、電子メールに画像のデータに縮小処理を行なった旨を付記するようにしてもよい。
【００４９】
また、１電子メールに複数の画像を添付して送信する場合は、複数の画像を添付している旨をメール本文に付記するようにしてもよい。
【００５０】
また、電子メールに添付する画像のファイル名には、複数の画像における順番を特定する文字列を含むようにしてもよい。
【００５１】
通信制御部１６０は、画像を添付した電子メールが複数ある場合は、添付された画像の順番を特定する文字列が小さい画像を添付する電子メールから順次送信するようにしてもよい。
【００５２】
また、画像を添付した電子メールが複数ある場合は、全ての電子メールのメール本文に、全ての電子メールに添付された画像の情報と、各々の電子メールに添付された画像の情報を付記するようにしてもよい。
【００５３】
（画像の読取りモードについて）
次に、第１実施形態に係るデータ通信装置１０における画像の読取りモードによるデータ量縮小処理について、図面を参照して具体的に説明する。
図４は第１実施形態に係るデータ通信装置の操作部に表示される設定画面の一例を示す説明図である。
【００５４】
図４に示すように、第１実施形態に係るデータ通信装置１０の操作部１０５の表示パネル１０６（図１を参照）には、各種の画像読取りの設定を行なう設定画面１０１が表示される。
【００５５】
設定画面１０１には、画像の読取りモードを設定するカラーモードキー１０１１、画像の解像度を設定する解像度設定キー１０１２、画像のフォーマットを設定するフォーマット設定キー１０１３、原稿のサイズ等を設定する読取り原稿設定キー１０４、画像の濃度を設定する濃度設定キー１０１５、その他の機能設定キー１０１６等が表示される設定領域１０１０が設けられている。
【００５６】
データ量縮小処理の設定を行なう場合は、データ量を縮小する処理の内容に応じて、カラーモードキー１０１１、解像度設定キー１０１２、フォーマット設定キー１０１３、読取り原稿設定キー１０４、濃度設定キー１０１５、その他の機能設定キー１０１６を選択してタッチ操作することで設定操作が開始される。
【００５７】
第１実施形態では、データ量縮小処理として、画像の読取りモードを変更することでデータ量の縮小処理を行なう。
図５は第１実施形態に係るデータ通信装置の操作部に表示される画像読取りモード設定画面の一例を示す説明図である。
【００５８】
画像の読取りモードを変更する場合は、図４に示す設定画面１０１のカラーモードキー１０１１をタッチ操作することで、図５に示すように、設定画面１０１の上にカラーモード設定画面１０１１ａが重畳表示される。
【００５９】
カラーモード設定画面１０１１ａには、カラー自動選択キー１０１１ａ１、フルカラーキー１０１１ａ２、グレースケールキー１０１１ａ３、白黒キー１０１１ａ４等が表示されている。
【００６０】
読取りモードの設定を行なう場合は、読取る色の条件に応じて、カラー自動選択キー１０１１ａ１、フルカラーキー１０１１ａ２、グレースケールキー１０１１ａ３、白黒キー１０１１ａ４を選択してタッチ操作することで所望の読取りモードが設定される。
【００６１】
そして、選択された読取りモードに応じて、画像のデータ量が調整される。
すなわち、フルカラーモードによれば画像のデータ量は大きくなり、白黒２値モードによれば画像のデータ量は小さくなる。従って、読込む画像の状態に応じて、フルカラーモード、グレースケールモード、白黒２値モードの何れかを選択することで画像のデータを適宜に縮小することができる。
【００６２】
以上のように構成したので、第１実施形態によれば、電子メール通信を行なうデータ通信装置１０において、操作部１０５と、電子メール送信部１３０と、画像データ検出部１４０と、電子メールに添付する画像のデータ量が予め設定されたデータ量を超えているか否かを判定する画像データ量判定部１５０と、電子メールに添付する画像のデータ量が予め設定されたデータ量を超えない場合は、電子メールを送信可能とする通信制御部１６０と、電子メールに添付する画像のデータ量が予め設定されたデータ量を超える場合は、画像のデータ量を少なくするデータ量縮小処理１７１を行なうデータ量制御部１７０と、を備えることで、添付する画像のデータ量が予め設定した上限サイズを超えた場合に、画像のデータ量を縮小することで電気メールに画像を添付可能して、簡単に送信することができる。
【００６３】
また、第１実施形態では、電子メールに添付する画像を縮小するデータ量縮小処理として、カラーモード設定画面１０１１ａを備えて、画像の読取りモードを変更することで画像のデータ量を変更するようにしたので、画像を読取る際に、画像に応じて画像の読取りモードを変更することで予め画像のデータ量を縮小することができる。
【００６４】
（第２実施形態）
次に、第２実施形態について図面を参照して説明する。
なお、説明の便宜上、第１実施形態と同一の機能を有する構成には、同一の番号を付して説明を省略する。
図６は第２実施形態に係るデータ通信装置の操作部に表示される解像度設定画面の一例を示す説明図である。
【００６５】
第２実施形態は、データ通信装置１０において、データ量縮小処理として、画像の解像度を変更することでデータ量の縮小処理を行なうことを特徴とするものである。
【００６６】
画像の解像度を変更する場合は、図４に示す設定画面１０１の解像度設定キー１０１２をタッチ操作することで、図６に示すように、設定画面１０１の上に解像度設定画面１０１２ａが重畳表示される。
【００６７】
解像度設定画面１０１２ａには、１００×１００ｄｐｉ設定キー１０１２ａ１、１５０×１５０ｄｐｉ設定キー１０１２ａ２、２００×２００ｄｐｉ設定キー１０１２ａ３、３００×３００ｄｐｉ設定キー１０１２ａ４、４００×４００ｄｐｉ設定キー１０１２ａ５、６００×６００ｄｐｉ設定キー１０１２ａ６等が表示されている。
【００６８】
画像の解像度の設定を行なう場合は、画像のデータ量を縮小する程度に応じて、１００×１００ｄｐｉ設定キー１０１２ａ１、１５０×１５０ｄｐｉ設定キー１０１２ａ２、２００×２００ｄｐｉ設定キー１０１２ａ３、３００×３００ｄｐｉ設定キー１０１２ａ４、４００×４００ｄｐｉ設定キー１０１２ａ５、６００×６００ｄｐｉ設定キー１０１２ａ６を選択してタッチ操作することで所望の解像度が設定される。
【００６９】
そして、選択された解像度に応じて、画像のデータ量が調整される。
すなわち、２００×２００ｄｐｉ、１００×１００ｄｐｉと解像度を下げれば画像のデータ量は小さくなり、４００×４００ｄｐｉ、６００×６００ｄｐｉと解像度を上げれば画像のデータ量は大きくなる。従って、画像の大きさに応じて、解像度を選択することで画像のデータを適宜に縮小することができる。
【００７０】
以上のように構成したので、第２実施形態によれば、電子メール通信を行なうデータ通信装置１０において、電子メールに添付する画像を縮小するデータ量縮小処理として、解像度設定画面１０１２ａを備えて、画像の解像度を変更することで画像のデータ量を変更するようにしたので、画像の大きさに応じて画像のデータ量を縮小することができる。
【００７１】
（第３実施形態）
次に、第３実施形態について図面を参照して説明する。
なお、説明の便宜上、第１実施形態と同一の機能を有する構成には、同一の番号を付して説明を省略する。
図７は第３実施形態に係るデータ通信装置の操作部に表示される実施例１のフォーマット設定画面（カラー/グレースケール）を示す説明図、図８は前記データ通信装置の操作部に表示される実施例１のフォーマット設定画面（白黒）を示す説明図、図９は前記データ通信装置の操作部に表示される実施例２のフォーマット設定画面（カラー/グレースケール）を示す説明図、図１０は前記データ通信装置の操作部に表示される実施例２のフォーマット設定画面（白黒）を示す説明図である。
【００７２】
第３実施形態は、データ通信装置１０において、データ量縮小処理として、画像のフォーマットを変更することでデータ量の縮小処理を行なうことを特徴とするものである。
【００７３】
（実施例１）
実施例１では、画像のフォーマットを変更する場合は、図４に示す設定画面１０１のフォーマット設定キー１０１３をタッチ操作することで、図７に示すように、設定画面１０１の上にフォーマット設定画面１０１３ａが重畳表示される。
【００７４】
フォーマット設定画面１０１３ａは、カラー/グレースケール設定画面１０１３ａ１と白黒設定画面１０１３ａ２とを備える。
【００７５】
カラー/グレースケール設定画面１０１３ａ１では、図７に示すように、ＴＩＦＦ、ＸＰＳ、ＪＰＥＧ、ＰＤＦ、ＰＤＦ/Ａ等のファイル形式が選択可能となっている。これらのファイル形式は、宛先毎設定キー１０１３ａ３により宛先毎に設定可能となっている。
【００７６】
また、カラー/グレースケール設定画面１０１３ａ１は、圧縮率の選択可能な圧縮率設定部１０１３ａ４を備える。圧縮率は、「低」、「中」、「高」、「黒文字重視」が選択可能となっている。
【００７７】
白黒設定画面１０１３ａ２では、図８に示すように、ＴＩＦＦ、ＸＰＳ、ＰＤＦ、ＰＤＦ/Ａ等のファイル形式が選択可能となっている。これらのファイル形成は、宛先毎設定キー１０１３ａ３により宛先毎に設定可能となっている。
【００７８】
また、白黒設定画面１０１３ａ２は、圧縮形式の選択可能な圧縮形式設定部１０１３ａ５を備える。圧縮形式は、「圧縮なし」、「ＭＨ（Ｇ３）」、「ＭＭＲ（Ｇ４）」が選択可能となっている。
【００７９】
（実施例２）
実施例２では、画像のフォーマットの変更する場合は、実施例１と同様に、図４に示す設定画面１０１のフォーマット設定キー１０１３をタッチ操作することで、図９に示すように、設定画面１０１の上にフォーマット設定画面１０１３ｂが重畳表示される。
【００８０】
フォーマット設定画面１０１３ｂは、カラー/グレースケール設定画面１０１３ｂ１と白黒設定画面１０１３ｂ２とを備える。
【００８１】
カラー/グレースケール設定画面１０１３ｂ１では、図９に示すように、ＴＩＦＦ、ＸＰＳ、ＪＰＥＧ、ＰＤＦ、ＰＤＦ/Ａ−１ａ、ＰＤＦ/Ａ−１ｂ、ＴＸＴ（ＵＴＦ−８）、ＲＴＦ、ＤＯＣＸ、ＸＬＳＸ、ＰＰＴＸ等のファイル形式が選択可能となっている。これらのファイル形式は、宛先毎設定キー１０１３ｂ３により宛先毎に設定可能となっている。
【００８２】
また、カラー/グレースケール設定画面１０１３ｂ１は、圧縮率の選択可能な圧縮率設定部１０１３ｂ４を備える。圧縮率は、「高圧縮」、「高精細」が選択可能となっている。
選択された圧縮率は、圧縮率表示部１０１３ｂ５に表示される。
【００８３】
白黒設定画面１０１３ｂ２では、図１０に示すように、ＴＩＦＦ、ＸＰＳ、ＪＰＥＧ、ＰＤＦ、ＰＤＦ/Ａ−１ａ、ＰＤＦ/Ａ−１ｂ、ＴＸＴ（ＵＴＦ−８）、ＲＴＦ、ＤＯＣＸ、ＸＬＳＸ、ＰＰＴＸ等のファイル形式が選択可能となっている。これらのファイル形成は、宛先毎設定キー１０１３ｂ３により宛先毎に設定可能となっている。
【００８４】
また、白黒設定画面１０１３ｂ２は、圧縮形式が設定可能に構成されて、設定された圧縮形成は圧縮形式表示部１０１３ｂ６に表示される。
【００８５】
以上のように構成したので、第３実施形態によれば、電子メール通信を行なうデータ通信装置１０において、電子メールに添付する画像を縮小するデータ量縮小処理として、画像のフォーマット設定画面１０１３ａ，１０１３ｂを備えて、画像のフォーマットを変更することで画像のデータ量を変更するようにしたので、ファイル形式の設定や圧縮率、圧縮形式に応じて画像のデータ量を縮小することができる。
【００８６】
（第４実施形態）
次に、第４実施形態について図面を参照して説明する。
なお、説明の便宜上、第１実施形態と同一の機能を有する構成には、同一の番号を付して説明を省略する。
図１１は第４実施形態に係るデータ通信装置の操作部に表示される原稿設定画面を示す説明図である。
【００８７】
第４実施形態は、データ通信装置１０において、データ量縮小処理として、原稿サイズを変更することでデータ量の縮小処理を行なうことを特徴とするものである。
【００８８】
原稿サイズを変更する場合は、図４に示す設定画面１０１の原稿設定キー１０１４をタッチ操作することで、図１１に示すように、設定画面１０１の上に原稿設定画面１０１４ａが重畳表示される。
【００８９】
原稿設定画面１０１４ａは、画像の読込みサイズを設定する読込みサイズ設定部１０１４ａ１と、送信する画像サイズを設定する送信サイズ設定部１０１４ａ２とを備える。
【００９０】
そして、画像の読込みサイズに対して送信サイズを設定することで画像のデータ量を変更する。例えば、画像の読込みサイズに対して送信サイズを小さく設定することで、送信する画像のデータ量を縮小することができる。
【００９１】
また、原稿設定画面１０１４ａでは、画像処理として「両面原稿たてとじ」、「両面原稿よことじ」、原稿の向き等が設定可能に構成されている。
【００９２】
以上のように構成したので、第４実施形態によれば、電子メール通信を行なうデータ通信装置１０において、電子メールに添付する画像を縮小するデータ量縮小処理として、原稿設定画面１０１４ａを備えて、画像の読込みサイズに対して送信する画像の送信サイズを設定することで画像のデータ量を変更するようにしたので、画像の読込みサイズに対して送信する画像の送信サイズを小さく設定することで画像のデータ量を縮小することができる。
【００９３】
（第５実施形態）
次に、第５実施形態について図面を参照して説明する。
なお、説明の便宜上、第１実施形態と同一の機能を有する構成には、同一の番号を付して説明を省略する。
図１２は第５実施形態に係るデータ通信装置の操作部に表示される濃度設定画面を示す説明図である。
【００９４】
第５実施形態は、データ通信装置１０において、データ量縮小処理として、画像の濃度を変更することでデータ量の縮小処理を行なうことを特徴とするものである。
【００９５】
画像の濃度を変更する場合は、図４に示す設定画面１０１の濃度設定キー１０１５をタッチ操作することで、図１２に示すように、設定画面１０１の上に濃度設定画面１０１５ａが重畳表示される。
【００９６】
濃度設定画面１０１５ａは、画像の濃度を設定/調整する濃度変更バー１０１５ａ１を備える。濃度変更バー１０１５ａ１は、濃度を特定する数値が表示されて、カーソル１０１５ａ１１を移動することで画像の濃淡を調整する。
【００９７】
そして、画像の濃度を設定することで画像のデータ量を変更する。例えば、画像の濃度を薄く設定することで、画像のデータ量を縮小することができる。
【００９８】
また、濃度設定画面１０１５ａには、自動で濃度を設定する自動設定キー１０１５ａ２と、手動で濃度を設定する手動設定キー１０１５ａ３を備えている。手動設定キー１０１５ａ３によれば、例えば、「文字」、「文字/印刷写真」、「文字/印画紙写真」、「印刷写真」、「印画紙写真」、「地図」等の濃度の手動による設定/調整が可能となっている。
【００９９】
以上のように構成したので、第５実施形態によれば、電子メール通信を行なうデータ通信装置１０において、電子メールに添付する画像を縮小するデータ量縮小処理として、濃度設定画面１０１５ａを備えて、画像の濃度を設定/調整することで画像のデータ量を変更するようにしたので、画像の濃度を薄く設定することで画像のデータ量を縮小することができる。
【０１００】
（第６実施形態）
次に、第６実施形態について図面を参照して説明する。
なお、説明の便宜上、第１実施形態と同一の機能を有する構成には、同一の番号を付して説明を省略する。
図１３は第６実施形態に係るデータ通信装置の操作部に表示されるその他の機能設定画面を示す説明図である。
【０１０１】
第６実施形態は、データ通信装置１０において、データ量縮小処理として、読取りモード設定、解像度設定、フォーマット設定、原稿設定、画像の濃度設定以外のその他の機能により画像のデータ量の縮小処理を行なうことを特徴とするものである。
【０１０２】
その他の機能により画像のデータ量を変更する場合は、図４に示す設定画面１０１のその他の機能設定キー１０１６をタッチ操作することで、図１３に示すように、設定画面１０１の上にその他の機能設定画面１０１６ａが重畳表示される。
【０１０３】
その他の機能設定画面１０１６ａは、複数の設定キーを備えて、設定キーに応じて各種の設定を行なうようにされている。
【０１０４】
第６実施形態では、画像のデータ量を縮小するための機能として、例えば、枠消去キー１０１６ａ１を選択して、枠を消去することで不要なデータを削除したり、ページ分割キー１０１６ａ２を選択して、画像を分割することで１画像当たりのデータ量を小さくしたりすることができる。このようにして、添付する画像のデータ量を縮小することができる。
【０１０５】
以上のように構成したので、第６実施形態によれば、電子メール通信を行なうデータ通信装置１０において、電子メールに添付する画像を縮小するデータ量縮小処理として、その他の機能設定画面１０１６ａを備えて、枠を消去することで不要なデータを削除したり、画像を分割することで１画像当たりのデータ量を小さくしたりすることで、画像のデータ量を縮小することができる。
【０１０６】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１０７】
１０  データ通信装置
１０１  設定画面
１０４  原稿設定キー
１０５  操作部
１０６  表示パネル
１１０  画像読取部
１２０  記憶部
１２１  読取画像情報
１３０  電子メール送信部
１４０  画像データ検出部
１５０  画像データ量判定部
１６０  通信制御部
１７０  データ量制御部
１７１  データ量縮小処理
１８０  制御部
１０１０  設定領域
１０１１  カラーモードキー
１０１１ａ  カラーモード設定画面
１０１２  解像度設定キー
１０１２ａ  解像度設定画面
１０１３  フォーマット設定キー
１０１３ａ，１０１３ｂ  フォーマット設定画面
１０１４  原稿設定キー
１０１４ａ  原稿設定画面
１０１５  濃度設定キー
１０１５ａ  濃度設定画面
１０１６  その他の機能設定キー
１０１６ａ  その他の機能設定画面
【図１】
2020030463.tif 000003
【図２】
2020030463.tif 000004
【図３】
2020030463.tif 000005
【図４】
2020030463.tif 000006
【図５】
2020030463.tif 000007
【図６】
2020030463.tif 000008
【図７】
2020030463.tif 000009
【図８】
2020030463.tif 000010
【図９】
2020030463.tif 000011
【図１０】
2020030463.tif 000012
【図１１】
2020030463.tif 000013
【図１２】
2020030463.tif 000014
【図１３】
2020030463.tif 000015